(57)【要約】【課題】伝送多重制御（ＴＭＣＣ）情報受信時間を短縮させるために、復調データのビット列を既に設定されたビットサイズだけ臨時保存した後、保存されたビット列をリング構造でローテーションさせながら同期信号を検索したりデコーディングし、結果的に高速で伝送多重制御（ＴＭＣＣ）データを獲得する方法及び装置を提供する。【解決手段】入力されたビットストリームに高速フーリエ変換（ＦＦＴ）を行った結果である変換データを生成する変換部と、前記変換データを復調した結果である復調データを出力する復調部と、前記復調データのビット列を既に設定されたビットサイズだけ臨時保存した後、保存されたビットをリング構造でローテーションさせながら同期信号としきい値以上でマッチングされる同期信号マッチング情報が検索される場合、構造的に前記同期信号マッチング情報の後に割り当てられた伝送多重制御（ＴＭＣＣ）データをデコーディングする復号化部とを含むことを特徴とするＯＦＤＭ受信装置を構成する。【選択図】図１
2015037312.tif 000002
【特許請求の範囲】
【請求項１】
ＯＦＤＭ受信装置であって、
入力されたビットストリームに高速フーリエ変換（ＦＦＴ：Ｆａｓｔ  Ｆｏｕｒｉｅｒ  Ｔｒａｎｓｆｏｒｍ）を行った結果である変換データを生成する変換部と、
前記変換データを復調した結果である復調データを出力する復調部と、
前記復調データのビット列を既に設定されたビットサイズだけ臨時保存した後、保存されたビットをリング構造でローテーションさせながら同期信号としきい値以上でマッチングされる同期信号マッチング情報が検索される場合、構造的に前記同期信号マッチング情報の後に割り当てられた伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データをデコーディングする復号化部とを含むことを特徴とするＯＦＤＭ受信装置。
【請求項２】
前記復号化部は、
前記復調データのビット列を既に設定されたビットサイズだけ臨時保存するビットバッファーと、
前記ビットバッファーがフル充填された場合、前記ビットバッファーの最初の入力（Ｗｒｉｔｅ）ビットからシンボルインデックスである候補インデックス（Ｃｎｄｌｄｘ：Ｃａｎｄｉｄａｔｅ  Ｉｎｄｅｘ）を順次付与する候補生成部と、
前記候補インデックス（Ｃｎｄｌｄｘ）に基づいて既に設定されたビット単位で前記同期信号としきい値以上でマッチングされる前記同期信号マッチング情報の存在有無を確認する比較器と、
前記比較器での確認の結果、前記同期信号マッチング情報が存在する場合、構造的に前記ビットバッファーの前記同期信号マッチング情報の後に割り当てられた前記伝送多重制御データを受け取ってデコーディングした復号化データを生成するデコーダーとを含むことを特徴とする請求項１に記載のＯＦＤＭ受信装置。
【請求項３】
前記比較器は、前記比較器での確認の結果、前記ビットバッファー内で前記同期信号マッチング情報が検索されない場合、前記候補生成部によって前記ビットバッファー内の前記候補インデックスを１ビットずつ既に設定された一方向にローテーションさせた後、前記同期信号マッチング情報を検索することを特徴とする請求項２に記載のＯＦＤＭ受信装置。
【請求項４】
前記の既に設定されたビット単位は、前記同期信号に割り当てられたビット数と同一に設定されることを特徴とする請求項２に記載のＯＦＤＭ受信装置。
【請求項５】
前記候補生成部は、前記候補インデックス（Ｃｎｄｌｄｘ）の個数だけローテーションを繰り返すことを特徴とする請求項３に記載のＯＦＤＭ受信装置。
【請求項６】
前記比較器は、前記候補インデックス（Ｃｎｄｌｄｘ）の個数だけローテーションが繰り返されるまで前記同期信号マッチング情報が検索されない場合、前記復調部から新しい１ビットを含む前記復調データを受信し、前記ビットバッファーに新しい１ビットを挿入し、前記候補生成部で前記新しい１ビットに対して前記候補インデックスを付与することを特徴とする請求項３に記載のＯＦＤＭ受信装置。
【請求項７】
前記候補生成部は、前記比較器で前記同期信号マッチング情報の生成に失敗したり、前記デコーダーでデコーディングした結果が失敗である場合、前記ビットバッファーに存在する前記候補インデックス内に前記同期信号マッチング情報が存在しないと判断し、前記候補インデックスを１ビットずつ増加させることを特徴とする請求項３に記載のＯＦＤＭ受信装置。
【請求項８】
前記比較器は、前記候補インデックスの個数だけ前記同期信号とマッチングされる情報を検索するとき、前記同期信号マッチング情報が存在する場合、前記伝送多重制御（ＴＭＣＣ）データの獲得を終了し、全ての前記候補インデックス内に前記同期信号マッチング情報が存在しないと判断される場合、前記復調データで新しい１ビットが入力されるまで待った後、前記同期信号とマッチングされる情報を検索する過程を繰り返すことを特徴とする請求項３に記載のＯＦＤＭ受信装置。
【請求項９】
前記比較器は、前記新しい１ビットに対する前記候補インデックスが１ビット挿入された場合、前記候補インデックスを基準にして前記同期信号を優先的に検索することを特徴とする請求項６に記載のＯＦＤＭ受信装置。
【請求項１０】
前記候補生成部は、前記ビットバッファーの前記の最初の入力ビットにインデックス‘０'を付与（Ｃｎｄｌｄｘ＝０）した後、残りのビットにインデックスを順次付与することを特徴とする請求項２に記載のＯＦＤＭ受信装置。
【請求項１１】
前記ビットバッファーは２０４ビットサイズを有し、前記ビット単位は１６ビットムービングウィンドウを有することを特徴とする請求項２に記載のＯＦＤＭ受信装置。
【請求項１２】
前記伝送多重制御（ＴＭＣＣ）データは、１０２ビットが割り当てられた伝送多重制御（ＴＭＣＣ）情報と、８２ビットが割り当てられたパリティビットと、を含むことを特徴とする請求項２に記載のＯＦＤＭ受信装置。
【請求項１３】
前記しきい値は、前記同期信号のビット数より小さい値を有することを特徴とする請求項１に記載のＯＦＤＭ受信装置。
【請求項１４】
前記比較器は、前記ビットバッファー内に保存されたビット列に偶数フレームと奇数フレームが混在した場合、前記偶数フレームと前記奇数フレームのそれぞれによる前記同期信号と前記しきい値以上でマッチングされる情報を検索し、検索された情報のうちマッチング率がより高い情報を前記同期信号マッチング情報と認識することを特徴とする請求項１に記載のＯＦＤＭ受信装置。
【請求項１５】
ＯＦＤＭ受信装置であって、
入力されたビットストリームに高速フーリエ変換（ＦＦＴ）を行った結果である変換データを生成する変換部と、
前記変換データを復調した結果である復調データを出力する復調部と、
前記復調データのビットを既に設定されたビットサイズだけ臨時保存した後、保存されたビットをリング構造でローテーションさせながらデコーディングする復号化部とを含むことを特徴とするＯＦＤＭ受信装置。
【請求項１６】
前記復号化部は、
前記復調データのビットを既に設定されたビットサイズだけ臨時保存するビットバッファーと、
前記ビットバッファーがフル充填された場合、前記ビットバッファーの最初の入力ビットをｋ番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと仮定した後、デコーディングを行った復号化データを生成するデコーダーとを含むことを特徴とする請求項１５に記載のＯＦＤＭ受信装置。
【請求項１７】
ＯＦＤＭ受信装置が伝送多重制御データを獲得する方法であって、
受信したビットストリームに高速フーリエ変換（ＦＦＴ）を行った結果である変換データを生成する変換過程と、
前記変換データを復調した結果である復調データを出力する復調過程と、
前記復調データのビット列を既に設定されたビットサイズだけ臨時保存した後、保存されたビットをリング構造でローテーションさせながら同期信号としきい値以上でマッチングされる同期信号マッチング情報が検索される場合、前記同期信号マッチング情報の後に割り当てられた伝送多重制御（ＴＭＣＣ）データをデコーディングする復号化過程とを含むことを特徴とする高速伝送多重制御データ獲得方法。
【請求項１８】
前記復号化過程は、
ビットバッファーに前記復調データのビットを既に設定されたビットサイズだけ臨時保存する保存過程と、
前記ビットバッファーがフル充填された場合、前記ビットバッファーの最初の入力ビットからシンボルインデックスである候補インデックス（Ｃｎｄｌｄｘ）を順次付与する候補生成過程と、
前記候補インデックス（Ｃｎｄｌｄｘ）に基づいて既に設定されたビット単位で同期信号としきい値以上でマッチングされる前記同期信号マッチング情報の存在有無を確認する比較過程と、
前記比較過程での確認の結果、前記同期信号マッチング情報が存在する場合、前記ビットバッファーの前記同期信号マッチング情報の後に割り当てられた前記伝送多重制御データを受け取ってデコーディングした復号化データを生成するデコーディング過程とを含むことを特徴とする請求項１７に記載の高速伝送多重制御データ獲得方法。
【請求項１９】
高速伝送多重制御データ獲得方法であって、
入力されたビットストリームに高速フーリエ変換（ＦＦＴ）を行った結果である変換データを生成する変換過程と、
前記変換データを復調した結果である復調データを出力する復調過程と、
前記復調データのビット列を既に設定されたビットサイズだけ臨時保存した後、保存されたビットをリング構造でローテーションさせながらデコーディングする復号化過程と、を含むことを特徴とする高速伝送多重制御データ獲得方法。
【請求項２０】
前記復号化過程は、
ビットバッファーに前記復調データのビットを既に設定されたビットサイズだけ臨時保存する保存過程と、
前記ビットバッファーがフル充填された場合、前記ビットバッファーの最初の入力ビットをｋ番目のＯＦＤＭシンボルと仮定した後、デコーディングを行った復号化データを生成するデコーディング過程とを含むことを特徴とする請求項１９に記載の高速伝送多重制御データ獲得方法。
【発明の詳細な説明】
【技術分野】
【０００１】
本実施例は、高速で伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データを獲得する方法及び装置に関する。
【背景技術】
【０００２】
以下で記述する内容は、単純に本実施例と関連する背景情報のみを提供するだけで、従来技術を構成するものではないことを明らかにしておく。
【０００３】
デジタル信号を伝送する方式として、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；ＯＦＤＭ）方式（以下、ＯＦＤＭ方式という）と呼ばれる変調方式が用いられている。このようなＯＦＤＭ方式は、伝送帯域内に多数の直交する副搬送波（サブキャリア）を設定し、各サブキャリアの振幅及び位相にＰＳＫ（Ｐｈａｓｅ  Ｓｈｉｆｔ  Ｋｅｙｉｎｇ）やＱＡＭ（Ｑｕａｄｒａｔｕｒｅ  Ａｍｐｌｉｔｕｄｅ  Ｍｏｄｕｌａｔｉｏｎ）によってデータを割り当ててデジタル変調する方式をいう。
【０００４】
ＯＦＤＭ方式は、多数のサブキャリアに伝送帯域を分割するので、サブキャリア１つの波当たりの帯域が狭くなって変調速度は遅くなるが、トータル伝送速度は一般的な変調方式と変わりがないという特徴を有する。また、ＯＦＤＭ方式は、多数のサブキャリアが並列に伝送されるのでシンボル速度が遅くなり、シンボルの時間の長さに対する相対的なマルチパス（Ｍｕｌｔｉ―Ｐａｔｈ）の時間の長さを短くすることができ、マルチパス妨害に強いという特徴を有する。
【０００５】
したがって、このようなＯＦＤＭ方式は、マルチパス妨害の影響を強く受ける地上デジタル放送に適用される場合が多い。このようなＯＦＤＭ方式を採用した地上デジタル放送としては、例えば、ＤＶＢ―Ｔ（Ｄｉｇｉｔａｌ  Ｖｉｄｅｏ  Ｂｒｏａｄｃａｓｔｉｎｇ―Ｔｅｒｒｅｓｔｒｉａｌ）、ＩＳＤＢ―Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ―Ｔｅｒｒｅｓｔｒｉａｌ）、ＩＳＤＢ―ＴＳＢ（ＩＳＤＢＴ  Ｓｏｕｎｄ  Ｂｒｏａｄｃａｓｔｉｎｇ）などの規格がある。
【０００６】
ただし、ＯＦＤＭ方式の受信機では、送信機が伝送したデータのうち伝送多重制御（ＴＭＣＣ）データを獲得するのに多少時間がかかるという問題がある。
【発明の概要】
【発明が解決しようとする課題】
【０００７】
本実施例は、伝送多重制御（ＴＭＣＣ）情報受信時間を短縮させるために、復調データのビット列を既に設定されたビットサイズだけ臨時保存した後、保存されたビット列をリング（Ｒｉｎｇ）構造でローテーション（Ｒｏｔａｔｉｏｎ）させながら同期信号を検索したりデコーディングし、結果的に高速で伝送多重制御（ＴＭＣＣ）データを獲得する方法及び装置を提供することを主な目的とする。
【課題を解決するための手段】
【０００８】
本実施例の一側面によると、入力されたビットストリームに高速フーリエ変換（ＦＦＴ：Ｆａｓｔ  Ｆｏｕｒｉｅｒ  Ｔｒａｎｓｆｏｒｍ）を行った結果である変換データを生成する変換部と、前記変換データを復調した結果である復調データを出力する復調部と、前記復調データのビット列を既に設定されたビットサイズだけ臨時保存した後、保存されたビットをリング構造でローテーションさせながら同期信号としきい値以上でマッチングされる同期信号マッチング情報が検索される場合、構造的に前記同期信号マッチング情報の後に割り当てられた伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データをデコーディングする復号化部とを含むことを特徴とするＯＦＤＭ受信装置を提供する。
【０００９】
また、ＯＦＤＭ受信装置の復号化部は、前記復調データのビット列を既に設定されたビットサイズだけ臨時保存するビットバッファーと、前記ビットバッファーがフル充填された場合、前記ビットバッファーの最初の入力（Ｗｒｉｔｅ）ビットからシンボルインデックスである候補インデックス（Ｃｎｄｌｄｘ：Ｃａｎｄｉｄａｔｅ  Ｉｎｄｅｘ）を順次付与する候補生成部と、前記候補インデックス（Ｃｎｄｌｄｘ）に基づいて既に設定されたビット単位で前記同期信号としきい値以上でマッチングされる前記同期信号マッチング情報の存在有無を確認する比較器と、前記比較器での確認の結果、前記同期信号マッチング情報が存在する場合、構造的に前記ビットバッファーの前記同期信号マッチング情報の後に割り当てられた前記伝送多重制御データを受け取ってデコーディングした復号化データを生成するデコーダーとを含むことができる。ここで、しきい値は、前記同期信号のビット数より小さい値を有する。また、ＯＦＤＭ受信装置の前記伝送多重制御（ＴＭＣＣ）データは、１０２ビットが割り当てられた伝送多重制御（ＴＭＣＣ）情報と、８２ビットが割り当てられたパリティビットとを含む。
【００１０】
また、ＯＦＤＭ受信装置の前記比較器は、前記比較器での確認の結果、前記ビットバッファー内で前記同期信号マッチング情報が検索されない場合、前記ビットバッファー内の前記候補インデックスを１ビットずつ既に設定された一方向にローテーションした後、前記同期信号マッチング情報を検索することができる。ここで、前記の既に設定されたビット単位は、前記同期信号に割り当てられたビット数と同一に設定することができる。
【００１１】
また、ＯＦＤＭ受信装置の前記候補生成器は、前記候補インデックス（Ｃｎｄｌｄｘ）の個数だけローテーションを繰り返すことができる。また、ＯＦＤＭ受信装置の前記比較器は、前記候補インデックス（Ｃｎｄｌｄｘ）の個数だけローテーションが繰り返されるまで前記同期信号マッチング情報が検索されない場合、前記復調部から新しい１ビットを含む前記復調データを受信し、前記ビットバッファーに新しい１ビットを挿入し、前記候補生成部で前記新しい１ビットに対して前記候補インデックスを付与することができる。
【００１２】
また、ＯＦＤＭ受信装置の前記候補生成部は、前記比較器で前記同期信号マッチング情報の生成に失敗したり、前記デコーダーでデコーディングした結果が失敗である場合、前記ビットバッファーに存在する前記候補インデックス内に前記同期信号マッチング情報が存在していないと判断し、前記候補インデックスを１ビットずつ増加させることができる。
【００１３】
また、ＯＦＤＭ受信装置の前記比較器は、前記候補インデックスの個数だけ前記同期信号とマッチングされる情報を検索するとき、前記同期信号マッチング情報が存在する場合、前記伝送多重制御（ＴＭＣＣ）データの獲得を終了し、全ての前記候補インデックス内に前記同期信号マッチング情報が存在していないと判断される場合、前記復調データで新しい１ビットが入力されるまで待った後、前記同期信号とマッチングされる情報を検索する過程を繰り返すことができる。
【００１４】
また、ＯＦＤＭ受信装置の前記比較器は、前記新しい１ビットに対する前記候補インデックスが１ビット挿入された場合、前記候補インデックスを基準にして前記同期信号を優先的に検索することができる。また、ＯＦＤＭ受信装置の前記候補生成部は、前記ビットバッファーの前記の最初の入力ビットにインデックス‘０'を付与（Ｃｎｄｌｄｘ＝０）した後、残りのビットにインデックスを順次付与することができる。また、ＯＦＤＭ受信装置の前記ビットバッファーは２０４ビットサイズを有し、前記ビット単位は１６ビットムービングウィンドウを有する。
【００１５】
また、ＯＦＤＭ受信装置の前記比較器は、前記ビットバッファー内に保存されたビット列に偶数フレームと奇数フレームが混在した場合、前記偶数フレームと前記奇数フレームのそれぞれによる前記同期信号と前記しきい値以上でマッチングされる情報を検索し、検索された情報のうちマッチング率がより高い情報を前記同期信号マッチング情報と認識することができる。
【００１６】
本実施例の他の側面によると、入力されたビットストリームに高速フーリエ変換（ＦＦＴ）を行った結果である変換データを生成する変換部と、前記変換データを復調した結果である復調データを出力する復調部と、前記復調データのビットを既に設定されたビットサイズだけ臨時保存した後、保存されたビットをリング構造でローテーションさせながらデコーディングする復号化部とを含むことを特徴とするＯＦＤＭ受信装置を提供する。
【００１７】
また、ＯＦＤＭ受信装置の前記復号化部は、前記復調データのビットを既に設定されたビットサイズだけ臨時保存するビットバッファーと、前記ビットバッファーがフル充填された場合、前記ビットバッファーの最初の入力ビットをｋ番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと仮定した後、デコーディングを行った復号化データを生成するデコーダーとを含むことができる。
【００１８】
本実施例の他の側面によると、ＯＦＤＭ受信装置が伝送多重制御データを獲得する方法において、受信したビットストリームに高速フーリエ変換（ＦＦＴ）を行った結果である変換データを生成する変換過程と、前記変換データを復調した結果である復調データを出力する復調過程と、前記復調データのビット列を既に設定されたビットサイズだけ臨時保存した後、保存されたビットをリング構造でローテーションさせながら同期信号としきい値以上でマッチングされる同期信号マッチング情報が検索される場合、前記同期信号マッチング情報の後に割り当てられた伝送多重制御（ＴＭＣＣ）データをデコーディングする復号化過程とを含むことを特徴とする高速伝送多重制御データ獲得方法を提供する。
【００１９】
ここで、前記復号化過程は、ビットバッファーに前記復調データのビットを既に設定されたビットサイズだけ臨時保存する保存過程と、前記ビットバッファーがフル充填された場合、前記ビットバッファーの最初の入力ビットからシンボルインデックスである候補インデックス（Ｃｎｄｌｄｘ）を順次付与する候補生成過程と、前記候補インデックス（Ｃｎｄｌｄｘ）に基づいて既に設定されたビット単位で同期信号としきい値以上でマッチングされる前記同期信号マッチング情報の存在有無を確認する比較過程と、前記比較過程での確認の結果、前記同期信号マッチング情報が存在する場合、前記ビットバッファーの前記同期信号マッチング情報の後に割り当てられた前記伝送多重制御データを受け取ってデコーディングした復号化データを生成するデコーディング過程とを含むことができる。
【００２０】
本実施例の他の側面によると、入力されたビットストリームに高速フーリエ変換（ＦＦＴ）を行った結果である変換データを生成する変換過程と、前記変換データを復調した結果である復調データを出力する復調過程と、前記復調データのビット列を既に設定されたビットサイズだけ臨時保存した後、保存されたビットをリング構造でローテーションさせながらデコーディングする復号化過程とを含むことを特徴とする高速伝送多重制御データ獲得方法を提供する。
【００２１】
ここで、前記復号化過程は、ビットバッファーに前記復調データのビットを既に設定されたビットサイズだけ臨時保存する保存過程と、前記ビットバッファーがフル充填された場合、前記ビットバッファーの最初の入力ビットをｋ番目のＯＦＤＭシンボルと仮定した後、デコーディングを行った復号化データを生成するデコーディング過程とを含むことができる。
【発明の効果】
【００２２】
以上説明したように、本実施例によると、復調データのビット列を既に設定されたビットサイズだけ臨時保存した後、保存されたビット列をリング構造でローテーションさせながら同期信号を検索したりデコーディングし、伝送多重制御（ＴＭＣＣ）情報受信時間を短縮させるという効果がある。
【００２３】
また、本実施例によると、エラー訂正能力を有するデコーディングを用い、既に設定されたビットサイズ（例えば、２０４ビットムービングウィンドウ）を用いて１ビットが受信される度に既に設定されたビットサイズ（例えば、２０４種）だけの場合の数に対して全てデコーディングを行い、高速で伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報を受信できるという効果がある。
【図面の簡単な説明】
【００２４】
【図１】本実施例に係る高速で伝送多重制御（ＴＭＣＣ）データを獲得するための受信装置を概略的に示したブロック構成図である。
【図２】本実施例に係るＩＳＤＢ―Ｔ規格における伝送多重制御（ＴＭＣＣ）データの位置を示した図である。
【図３】本実施例に係る伝送多重制御（ＴＭＣＣ）データのビット割り当て構造を示した図である。
【図４】本実施例に係る高速で伝送多重制御（ＴＭＣＣ）データを獲得する方法を説明するためのフローチャートである。
【図５】本実施例に係る高速で伝送多重制御（ＴＭＣＣ）情報を獲得するための受信装置と対比される受信装置を概略的に示したブロック構成図である。
【図６】本実施例に係る高速で伝送多重制御（ＴＭＣＣ）データを獲得する方法と対比される伝送多重制御（ＴＭＣＣ）データを獲得する方法を説明するためのフローチャートである。
【図７】本実施例に係る伝送多重制御（ＴＭＣＣ）データ獲得時間の増加要因に対する事例を示した図である。
【図８】本実施例に係る伝送多重制御（ＴＭＣＣ）データ獲得順序に従った作動タイミングダイヤグラムを示した図である。
【発明を実施するための形態】
【００２５】
以下、本実施例を添付の図面を参照して詳細に説明する。
【００２６】
図１は、本実施例に係る高速で伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データを獲得するための受信装置を概略的に示したブロック構成図である。
【００２７】
本実施例に係る受信装置１００は、望ましくは放送受信装置（放送受信機）であって、ＯＦＤＭを用いてＩＳＤＢ（Ｉｎｔｅｇｒａｔｅｄ  Ｓｅｒｖｉｃｅ  Ｄｉｇｉｔａｌ  Ｂｒｏａｄｃａｓｔｉｎｇ）が適用されるタイプ（ＩＳＤＢ―Ｓ（衛星放送）、ＩＳＤＢ―Ｔ（地上波）、ＩＳＤＢ―Ｃ（ケーブル））のうちＩＳＤＢ―Ｔ（地上波）に適用され、送信装置（送信機）からデータを受信することができる。送信装置（送信機）は、入力されたビットストリームを符号化した符号化データを生成し、符号化データをインターリービング（Ｉｎｔｅｒｌｅａｖｉｎｇ）したインターリービングデータを生成し、インターリービングデータを変調した変調データを生成して受信装置１００に伝送することができる。
【００２８】
受信装置１００は、ＩＳＤＢ―Ｔ受信機であることが望ましいが、必ずしもこれに限定されるものではない。受信装置１００は、復調データから伝送多重制御（ＴＭＣＣ）データを獲得し、伝送多重制御（ＴＭＣＣ）データを用いて伝送情報、例えば、変調情報、符号率情報、タイムインターリーバーデプス（Ｔｉｍｅ  Ｉｎｔｅｒｌｅａｖｅｒ  Ｄｅｐｔｈ）情報などを把握し、同時に時間軸ＯＦＤＭシンボルのフレーム境界（Ｆｒａｍｅ  Ｂｏｕｎｄａｒｙ）を抽出するようになる。このとき、受信装置１００は、抽出されたフレーム境界を用いて復調部１２０がどのような変調モードで動作するかを決定し、また、ＦＥＣ（Ｆｏｒｗａｒｄ  Ｅｒｒｏｒ  Ｃｏｒｒｅｃｔｉｏｎ）の開始時点を決定する。ここで、受信装置１００は、備えられたチャンネル別受信アンテナを用いて送信機からアナログデータ（ビットストリーム）を受信するＲＦ受信部と、受信されたアナログデータをデジタルデータに変換するアナログデジタルコンバーター（ＡＤＣ）をさらに含むことができる。
【００２９】
本実施例に係る受信装置１００は、変換部１１０、復調部１２０及び復号化部１３０を含む。このとき、本実施例に係る受信装置１００に含まれる構成要素は、必ずしもこれに限定されるものではない。
【００３０】
変換部１１０は、受信したビットストリームに高速フーリエ変換（ＦＦＴ：Ｆａｓｔ  Ｆｏｕｒｉｅｒ  Ｔｒａｎｓｆｏｒｍ）を行った変換データを生成する。変換部１１０は、送信装置（送信機）からビットストリーム（変調データ）を受信することができる。復調部１２０は、変換部１１０から受信された変換データを復調した結果である復調データを出力する。このとき、復調部１２０は、変換部１１０から受信された変換データにＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、ＱＡＭ（Ｑｕａｄｒａｔｕｒｅ  Ａｍｐｌｉｔｕｄｅ  Ｍｏｄｕｌａｔｉｏｎ）などの復調方式を適用して行った復調データを生成する。
【００３１】
本実施例に係る復号化部１３０は、復調部１２０からの復調データのビット列を既に設定されたビットサイズだけ臨時保存した後、保存されたビット列をリング構造でローテーションさせながら同期信号としきい値以上でマッチングされる同期信号マッチング情報が検索される場合、構造的に同期信号マッチング情報の後に割り当てられた伝送多重制御（ＴＭＣＣ：Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）データをデコーディングする。ここで、しきい値は、同期信号のビット数より小さい値を有する。
【００３２】
このような復号化部１３０は、ビットバッファー１４０、候補生成部１５０、比較器１６０及びデコーダー１７０を含み、以下では、復号化部１３０の各構成要素について説明する。
【００３３】
ビットバッファー１４０は、復調データのビット列を既に設定されたビットサイズだけ臨時保存する。ここで、ビットバッファー１４０は、例えば、２０４ビットサイズを有する。
【００３４】
以下、候補生成部１５０の動作について説明する。候補生成部１５０は、ビットバッファー１４０がフル充填された場合、ビットバッファー１４０の最初の入力（Ｗｒｉｔｅ）ビットから始めて毎入力ビットごとにシンボルインデックスである候補インデックス（Ｃｎｄｌｄｘ：Ｃａｎｄｉｄａｔｅ  Ｉｎｄｅｘ）を順次付与する。また、候補生成部１５０は、比較器１６０で同期信号マッチング情報の生成に失敗したり、デコーダー１７０でデコーディングした結果が失敗である場合、ビットバッファー１４０に存在する候補インデックス内に同期信号マッチング情報が存在していないと判断し、候補インデックスを１ビットずつ増加させる。このとき、候補生成部１５０は、ビットバッファー１４０の最初の入力ビットにインデックス‘０'を付与（Ｃｎｄｌｄｘ＝０）した後、残りのビットにインデックスを順次付与する。また、候補生成部１５０は、ビットバッファー１４０内に保存されたビット列をリング構造で既に設定された一方向にローテーションさせる。
【００３５】
以下では、比較器１６０について説明する。比較器１６０は、候補インデックス（Ｃｎｄｌｄｘ）に基づいてビットバッファー１４０に保存された情報のうち既に設定されたビット単位で同期信号としきい値以上でマッチングされる同期信号マッチング情報の存在有無を確認する。ここで、既に設定されたビット単位は、同期信号に割り当てられたビット数と同一に設定される。望ましくは、ビット単位は１６ビットムービングウィンドウを有することができる。
【００３６】
比較器１６０は、ビットバッファー１４０内で同期信号マッチング情報が検索されない場合、候補生成部１５０によってビットバッファー１４０内の候補インデックスを１ビットずつ既に設定された一方向にローテーションさせた後、同期信号マッチング情報（ビットバッファー１４０内に保存された情報のうち‘同期信号'としきい値以上でマッチングされる情報）を検索する。このとき、比較器１６０は、候補インデックス（Ｃｎｄｌｄｘ）の個数だけローテーションを繰り返す。その後、比較器１６０は、候補インデックス（Ｃｎｄｌｄｘ）の個数だけローテーションが繰り返されるまで同期信号マッチング情報が検索されない場合、復調部１２０から新しい１ビットを含む復調データを受信し、ビットバッファー１４０に新しい１ビットを挿入し、候補生成部１５０で新しい１ビットに対して候補インデックスを付与する。
【００３７】
また、比較器１６０は、全ての候補インデックスの個数だけ同期信号とマッチングされる情報を検索するとき、同期信号マッチング情報が存在する場合、伝送多重制御（ＴＭＣＣ）データ獲得を終了し、全ての候補インデックス内に同期信号マッチング情報が存在していないと判断される場合、復調データで新しい１ビットが入力されるまで待った後、同期信号とマッチングされる情報を検索する過程を繰り返す。
【００３８】
比較器１６０は、新しい１ビットに対する候補インデックスが１ビット挿入された場合、候補インデックスを基準にして同期信号を優先的に検索する。また、比較器１６０は、ビットバッファー１４０内に保存されたビットに偶数フレームと奇数フレームが混在した場合、偶数フレームと奇数フレームのそれぞれによる同期信号（例えば、偶数フレームの場合は‘ｗ０＝００１１０１０１１１１０１１１０'、奇数フレームの場合は‘ｗ１＝１１００１０１００００１０００１'）としきい値以上でマッチングされる情報を検索し、検索された情報のうちマッチング率がより高い情報を同期信号マッチング情報と認識する。換言すると、比較器１６０は、偶数フレームと奇数フレームのそれぞれに合わせて‘同期信号'のマッチングを行い、より低いしきい値を通過させる。
【００３９】
以下では、デコーダー１７０について説明する。デコーダー１７０は、比較器１６０の確認の結果、同期信号マッチング情報が存在する場合、構造的にビットバッファー１４０の同期信号マッチング情報の後に割り当てられた伝送多重制御（ＴＭＣＣ）データを受け取ってデコーディングした復号化データを生成する。ここで、伝送多重制御（ＴＭＣＣ）データは、１０２ビットが割り当てられたＴＭＣＣ情報と、８２ビットが割り当てられたパリティビットとを含む。ここで、デコーダー１７０は、ＤＳＣ（Ｄｉｆｆｅｒｅｎｃｅ  Ｓｅｔ  Ｃｙｃｌｉｃ）デコーディングを行うことが望ましいが、必ずしもこれに限定されるものではない。
【００４０】
一方、本実施例の他の側面に係る復号化部１３０について説明する。本実施例の他の側面に係る復号化部１３０は、ビットバッファー１４０及びデコーダー１７０のみを含んで具現することができる。この場合、受信装置１００は、同期信号とマッチングされる情報を検索せず、ビットバッファー１４０の最初の入力ビットをｋ番目のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルと仮定した後、デコーディングを行う。
【００４１】
すなわち、本実施例の他の側面に係る受信装置１００は、最初の実施例に係る受信装置１００と同様に変換部１１０及び復調部１２０を含む。ただし、復号化部１３０では、復調部１２０から受信された復調データのビット列を既に設定されたビットサイズだけ臨時保存した後、保存されたビット列をリング構造でローテーションさせながらデコーディングする。ここで、復号化部１３０は、ビットバッファー１４０及びデコーダー１７０のみを含むことができる。ビットバッファー１４０は、復調データのビットを既に設定されたビットサイズだけ臨時保存し、デコーダー１７０は、ビットバッファー１４０がフル充填された場合、ビットバッファー１４０の最初の入力ビットをｋ番目のＯＦＤＭシンボルと仮定した後、デコーディングを行った復号化データを生成する。
【００４２】
以下では、図１に示した受信装置１００が高速で伝送多重制御（ＴＭＣＣ）情報を獲得する構造について説明する。一般的なＩＳＤＢ―Ｔの受信機では、‘同期信号検索'を先に行う。しかし、本実施例では、受信装置１００のビットバッファー１４０がフル充填されると、候補生成部１５０で１ビットの復調されたビット（復調データ）が入力される度に‘２０４（既に設定されたビットサイズ）'種の候補（２０４ビットバッファーの１番目の位置に存在するビットがＯＦＤＭシンボルインデックス（又は候補インデックスとして０、１、…、２０３であると仮定）であると仮定し、仮定された候補インデックスによって‘同期信号'とマッチングを行う。このとき、受信装置１００のビットバッファー１４０に現在保存された情報には、偶数フレームと奇数フレームの‘同期信号'が混在し得る。したがって、受信装置１００は、偶数フレームと奇数フレームのそれぞれに合わせて‘同期信号'のマッチングを行い、より低いしきい値を有する比較器１６０を通過させた後、該当の結果が‘成功（ＯＫ）'である場合、デコーダー１７０にデコーディング（例えば、ＤＳＣデコーディング）を行わせる。このような過程を通して、受信装置１００のデコーダー１７０で行うＤＳＣデコーディングの虚偽信号（Ｆａｌｓｅ  ＯＫ）発生確率が存在するという問題を解決することができる。
【００４３】
以下では、このような独創的な構成を有する理由を説明する。本実施例により、受信装置１００のデコーダー１７０は、１０２ビットが割り当てられた伝送多重制御（ＴＭＣＣ）情報と、８２ビットが割り当てられたパリティビット、すなわち、合計１８４ビットのうち８ビットのエラーを訂正できる強力なエラー訂正能力を有する。また、受信装置１００の比較器１６０に設定されたしきい値を低下させることができる。これにより、比較器１６０は、‘同期信号'を高いしきい値で検索する場合よりも遥かに高い検出確率及び低い虚偽信号発生確率を有するようになる。
【００４４】
図２は、本実施例に係るＩＳＤＢ―Ｔ規格における伝送多重制御（ＴＭＣＣ）データの位置を示した図である。
【００４５】
図２に示したように、ＩＳＤＢ―Ｔ規格における伝送多重制御（ＴＭＣＣ）データの位置を示す。図２は、ＯＦＤＭのモード、例えば、ＩＳＤＢ―Ｔにおけるモード１、モード２、モード３のうち‘モード３'を基準にして同期変調を用いたときの、中心セグメントでの例示図である。
【００４６】
伝送多重制御（ＴＭＣＣ）データは、副搬送波インデックス２１０であって、３１（２３０）、１９１（２４０）、２７７、４０９（図示せず）に位置するようになり、時間軸２２０のシンボルインデックス‘０'に位置するＰＲＢＳ（Ｐｈｙｓｉｃａｌ  Ｒｅｓｏｕｒｃｅ  Ｂｌｏｃｋｓ）を基準にしてＤＢＰＳＫ（Ｄｉｆｆｅｎｔｉａｌ  Ｂｉｎａｒｙ  Ｐｈａｓｅ  Ｓｈｉｆｔ  Ｋｅｙｉｎｇ）変調を用い、同一のソースデータが変調されている。
【００４７】
図３は、本実施例に係る伝送多重制御（ＴＭＣＣ）データのビット割り当て構造を示した図である。
【００４８】
図３に示した伝送多重制御（ＴＭＣＣ）データのビット割り当て構造を見ると、一つのフレームに対して同期信号３１０、セグメントタイプ識別情報、ＴＭＣＣ情報３２０、パリティビット３３０を含む。
【００４９】
同期信号３１０には‘１６'ビットが割り当てられ、ＴＭＣＣ情報３２０には‘１０２'ビットが割り当てられ、パリティビット３３０には‘８２'ビットが割り当てられる。ここで、パリティビット３３０は、ＤＳＣ（Ｄｉｆｆｅｒｅｎｃｅ  Ｓｅｔ  Ｃｙｃｌｉｃ）基盤のエラー訂正用ビットをいう。
【００５０】
図４は、本実施例に係る高速で伝送多重制御（ＴＭＣＣ）データを獲得する方法を説明するためのフローチャートである。
【００５１】
受信装置１００のビットバッファー１４０は、既に設定されたビットサイズ、例えば、２０４ビットサイズのバッファーが全て充填されるまで待つ（Ｓ４１０）。既に設定されたビットサイズ（例えば、２０４ビット）が全て充填されると、ビットバッファー１４０は、バッファーサイズが充填されたときを含めて、復調部１２０から１ビットが入力される度に次の動作を行う。候補生成部１５０は、ビットバッファー１４０に最初に入力されたビットがＯＦＤＭシンボルインデックス‘０'（ＯＦＤＭ  Ｓｙｍｂｏｌ  ｉｎｄｅｘ＝０）であると仮定する（Ｓ４２０）。段階Ｓ４２０では、ビットバッファー１４０に最初に入力されたビットがＯＦＤＭシンボルインデックス‘０'（ＯＦＤＭ  Ｓｙｍｂｏｌ  ｉｎｄｅｘ＝０）であると仮定する過程を候補インデックス（Ｃａｎｄｉｄａｔｅ  Ｉｎｄｅｘ＝ＣｎｄＩｄｘ）と命名する。
【００５２】
候補生成部１５０は、ビットバッファー１４０内に保存されたビットに対して候補インデックスの個数だけ既に設定された一方向にローテーションを行う（Ｓ４３０）。比較器１６０は、ビットバッファー１４０内の候補インデックスのうち同期信号としきい値以上でマッチングされる情報、すなわち、同期信号マッチング情報の有無を検査する（Ｓ４４０）。すなわち、段階Ｓ４４０では、比較器１６０は、候補生成部１５０を用いて生成された２０４ビットから、例えば、‘１、２、…、１６'ビット位置に存在するビットを集めて候補インデックス（ＣｎｄＩｄｘ）を参考した後、これが同期信号とマッチングされるかどうかを検査する。その後、比較器１６０は、候補インデックスのうち同期信号としきい値以上でマッチングされる同期信号マッチング情報が検索されるかどうかを確認する（Ｓ４５０）。
【００５３】
段階Ｓ４５０の確認の結果、候補インデックスのうち同期信号としきい値以上でマッチングされる同期信号マッチング情報が検索される場合、比較器１６０は、伝送多重制御（ＴＭＣＣ）情報（１０２ビット）とパリティビット（８２ビット）に該当する位置にあるデータをデコーダー１７０に入力する（Ｓ４６０）。デコーダー１７０は、デコーディング結果が成功的であるかどうかを確認する（Ｓ４７０）。段階Ｓ４７０の確認の結果、デコーダー１７０は、デコーディング結果が成功である場合、伝送多重制御（ＴＭＣＣ）情報の獲得を完了する。
【００５４】
段階Ｓ４５０の確認の結果、候補インデックスのうち同期信号としきい値以上でマッチングされる情報がない場合、又は、段階Ｓ４７０の確認の結果、デコーダー１７０のデコーディング結果が失敗である場合、候補生成部１５０は、候補インデックスを１だけ増加させる（Ｓ４８０）。その後、比較器１６０は、上述したＳ４３０ないしＳ４８０の過程を候補インデックス（Ｃｎｄｌｅｄｘ）の個数だけ（例えば、２０４個）繰り返し行う（Ｓ４９０）。すなわち、段階Ｓ４９０では、比較器１６０は、候補インデックス（Ｃｎｄｌｅｄｘ）の個数（例えば、２０４個）に対して全ての過程が行われたかどうかを確認し、確認の結果、比較器１６０は、候補インデックス（Ｃｎｄｌｅｄｘ）の個数（例えば、２０４個）に対して全ての過程が行われた場合、段階Ｓ４１０を行う。一方、確認の結果、２０４個の候補インデックス（Ｃｎｄｌｄｘ）に対して全ての過程が行われていない場合、比較器１６０は、Ｓ４３０ないしＳ４８０の過程を繰り返し行う。
【００５５】
段階Ｓ４３０ないしＳ４８０の過程を繰り返す間、段階Ｓ４５０及びＳ４７０が完了する場合、復号化部１３０は、伝送多重制御（ＴＭＣＣ）情報の獲得を終了する。ただし、全ての候補インデックスに失敗した場合、復号化部１３０は、復調部１２０で新しい１ビットが入力されるまで待った後、上述した全過程（Ｓ４１０ないしＳ４９０）を繰り返す。このとき、ビットバッファー１４０には、既に設定されたビットサイズ（例えば、２０４ビット）が全て充填されていると仮定する。
【００５６】
図４では、段階Ｓ４１０ないし段階Ｓ４６０を順次実行することを記載しているが、必ずしもこれに限定されることはない。すなわち、図４に記載した段階を変更して行ったり、一つ以上の段階を並列的に実行することに適用可能であるので、図４は時系列的な順序に限定されるものではない。
【００５７】
上述したように、図４に記載した本実施例に係る高速で伝送多重制御（ＴＭＣＣ）情報を獲得する方法は、プログラムに具現され、且つコンピューターで読み取り可能な記録媒体に記録することができる。本実施例に係る高速で伝送多重制御（ＴＭＣＣ）情報を獲得する方法を具現するためのプログラムが記録され、且つコンピューターで読み取り可能な記録媒体は、コンピューターシステムによって読まれるデータが保存される全ての種類の記録装置を含む。
【００５８】
図５は、本実施例に係る高速で伝送多重制御（ＴＭＣＣ）情報を獲得するための受信装置と対比される受信装置を概略的に示したブロック構成図である。
【００５９】
図５に示した受信装置５００は、変換部１１０、復調部１２０、復号化部５１０を含む。ここで、復号化部５１０は、同期信号検索部５２０及びデコーダー５３０を含む。受信装置５００は、まず、同期信号検索部５２０を作動させた後、デコーダー５３０を作動させる。
【００６０】
このような受信装置５００は大きく分けて二つの段階を行う。第１の段階では、受信装置５００の復調部１２０で伝送多重制御（ＴＭＣＣ）データを復調した復調データを出力する。このとき、復調部１２０は、多様な復調方式を組み合わせることができる。例えば、同一の伝送多重制御（ＴＭＣＣ）データがＤＢＰＳＫソースデータとして作用し、多くの副搬送波を用いて同時に伝送することができる。復調部１２０は、このような方式を用いてソフトコンバイニング（Ｓｏｆｔ  Ｃｏｍｂｉｎｉｎｇ）を行い、チャンネル情報を用いたコヒーレント検出（Ｃｏｈｅｒｅｎｔ  Ｄｅｔｅｃｔｉｏｎ）を用いることができる。
【００６１】
第２の段階では、受信装置５００の復号化部５１０で、復調データを用いて復調データ内のＴＭＣＣ情報を獲得することができる。受信装置５００の復号化部５１０は、復調データ内の同期信号を検索した後、伝送多重制御（ＴＭＣＣ）フレームの開始位置を検索する同期信号検索部５２０と、伝送多重制御（ＴＭＣＣ）フレームの開始を検出した後、その中にＤＳＣデコーディングを行って伝送多重制御（ＴＭＣＣ）情報の獲得可否を判断するデコーダー５３０とを含む。
【００６２】
図６は、本実施例に係る高速で伝送多重制御（ＴＭＣＣ）データを獲得する方法と対比される伝送多重制御（ＴＭＣＣ）データを獲得する方法を説明するためのフローチャートである。
【００６３】
受信装置５００は、最初に任意の時間に伝送多重制御（ＴＭＣＣ）獲得を行うので、復調部１２０から現在入力されている復調データがどのようなビットインデックスに該当するかを確認することができない。したがって、受信装置５００は、図２に示したように、同期信号（３１０参照）が伝送されていることを用いて、入力されているビットフィールドに１６ビットサイズのムービングウィンドウを設定する（Ｓ６１０）。その後、受信装置５００は、理想的な同期信号（例えば、‘００１１０１０１１１１０１１１０'又は‘１１００１０１００００１０００１'）としきい値以上でマッチングされる情報を検索する（Ｓ６２０）。受信装置５００は、理想的な同期信号とマッチングされる情報のビットカウントが特定のしきい値（例えば、１２ないし１６程度の値）以上であるかどうかを確認する（Ｓ６３０）。
【００６４】
段階Ｓ６３０の確認の結果、ビットカウントが特定のしきい値以上である場合、受信装置５００は、該当の部分に同期信号があると判断し、このときからはビットインデックスを確認できるようになるので、ビットバッファー１４０のうち該当のビットインデックス部分に残りの伝送多重制御（ＴＭＣＣ）データを充填し始める（Ｓ６４０）。段階Ｓ６３０の確認の結果、ビットカウントが特定のしきい値未満である場合、受信装置５００は、復調データ１ビットが入ってくる度に段階Ｓ６２０を繰り返し行い、理想的な同期信号としきい値以上でマッチングされる情報を検索する。
【００６５】
受信装置５００は、ＤＳＣデコーディングのためのビットがビットバッファー１４０に全て充填されると（Ｓ６４０）、デコーダー５３０がＤＳＣデコーディングを行う（Ｓ６５０）。デコーダー５３０のデコーディング結果が失敗（Ｆａｉｌ）であると、受信装置５００は、現在検索された‘同期信号'の位置が誤っていると認識し、再び‘同期信号'を検索するようになり、確認の結果、成功（ＯＫ）であると、伝送された伝送多重制御（ＴＭＣＣ）データが成功的に獲得されたと判断する（Ｓ６６０）。
【００６６】
図７は、本実施例に係る伝送多重制御（ＴＭＣＣ）データ獲得時間の増加要因に対する事例を示した図である。
【００６７】
伝送多重制御（ＴＭＣＣ）自体が複数の副搬送波に伝送されており、ＤＢＰＳＫ変調及びＤＳＣエンコーディングを通してノイズに対する免疫性が大きい。しかし、マルチパスフェーディング（Ｍｕｌｔｉ―Ｐａｔｈ  Ｆａｄｉｎｇ）、特に高ドップラー（Ｈｉｇｈ  Ｄｏｐｐｌｅｒ）が存在する場合、受信装置５００の復調部１２０の出力ＢＥＲ（Ｂｉｔ  Ｅｒｒｏｒ  Ｒａｔｅ）が増加し、伝送多重制御（ＴＭＣＣ）獲得時間自体が増加する。すなわち、図７に示したように、伝送多重制御（ＴＭＣＣ）復調ＢＥＲ＞０であるとき、伝送多重制御（ＴＭＣＣ）獲得時間を増加させる要因に対する事例である。
【００６８】
時間軸にＯＦＤＭフレームが伝送されるとき（７１０）、伝送多重制御（ＴＭＣＣ）‘同期信号'の最後のビットの位置は‘７１２'と表示する。伝送多重制御（ＴＭＣＣ）獲得開始（７２０）は任意の時間で開始することができる。一方、該当の事例を誘発させる伝送多重制御（ＴＭＣＣ）復調エラー（Ｄｅｍａｐ  Ｅｒｒｏｒ）の発生時点は‘７７０'である。
【００６９】
図７で発生する第１の問題は、伝送多重制御（ＴＭＣＣ）獲得開始時間と伝送多重制御（ＴＭＣＣ）‘同期信号'が任意の間隔で存在することである。すなわち、伝送多重制御（ＴＭＣＣ）獲得開始（７２０）と‘同期信号'の最後のビットの位置（７１２）との時間的な間隔である。伝送多重制御（ＴＭＣＣ）受信環境が良くて何ら‘エラー'も発生しない条件であっても、このような間隔により、伝送多重制御（ＴＭＣＣ）獲得時間は、最小１フレーム（理想的）から最大２フレーム（伝送多重制御（ＴＭＣＣ）獲得開始時点が伝送多重制御（ＴＭＣＣ）‘同期信号'の２番目のビットであるとき）まで発生するようになる。すなわち、理想的な獲得時間に比べて最大１フレームまでの時間を浪費するようになる。
【００７０】
第２の問題は、伝送多重制御（ＴＭＣＣ）同期信号の開始位置を誤って探した場合（７３０）である。この場合、ほとんどのＤＳＣデコーディングには失敗（７３２）するようになり、ＤＳＣデコーディングに必要なデータを１フレームの間集めたので、その間は伝送多重制御（ＴＭＣＣ）‘同期信号検索'が行われない。そのため、１フレームをさらに浪費するようになり、次の伝送多重制御（ＴＭＣＣ）‘同期信号'がＯＫ（７４０）になるまで最大２フレームの時間を浪費するようになる。また、このとき、ＤＳＣデコーディングが虚偽信号（実際には誤ったデータであるにもかかわらず、デコーダー１７０の現実的な限界によって該当のエラーを検出できずＯＫと誤って判定する場合）が発生する場合、より多くの時間の浪費するようになる。
【００７１】
第３の問題は、‘同期信号検索'が確実に行われた場合（７４０）であるとしても、時間的に変化する伝送多重制御（ＴＭＣＣ）復調ＢＥＲによってＤＳＣデコーディングに失敗する場合もあるが（７４２）、この場合、１フレームを浪費するようになる。第４の問題は、確実な（正常な）位置であるにもかかわらず、伝送多重制御（ＴＭＣＣ）復調エラーによって‘同期信号'の開始位置を探せなかった場合（７５０）である。この場合、１フレームの時間を浪費するようになる。このとき、‘同期信号'のマッチングしきい値を‘１６'より小さい値に設定すると、この確率を低下させることができる。しかし、これは、上述した第２の問題が表れる確率をより増加させる。第５の問題は、前記のような４つの問題が互いに複合的に作用しながら、伝送多重制御（ＴＭＣＣ）受信時間をより増加させる。
【００７２】
本実施例では、図７と関連して提示した各問題を改善することによって、伝送多重制御（ＴＭＣＣ）受信時間を短縮させることができる。すなわち、本実施例に係る受信装置１００は、エラー訂正能力を有するＤＳＣデコーディングを用い、２０４ビットムービングウィンドウを通して１個の伝送多重制御（ＴＭＣＣ）復調データのビットが受信される度に２０４種の場合の数に対して全てＤＳＣデコーディングを行ってみる。また、本実施例に係る受信装置１００は、虚偽ＤＳＣデコーディング確率が存在するので、ＤＳＣデコーディングに成功すると、最終的に伝送多重制御（ＴＭＣＣ）‘同期信号'のマッチングカウントをしきい値と比較する過程を通して虚偽信号にも備えることができる。これによって、上述した５つの問題は互いに独立的に存在するようになり、このような問題自体も解消又は軽減させることができる。
【００７３】
図８は、本実施例に係る伝送多重制御（ＴＭＣＣ）データ獲得順序に従う動作タイミングダイヤグラムを示した図である。
【００７４】
図８の最上側に示した信号は、伝送された信号をＯＦＤＭシンボルによって示したものである。ここで、‘ＯＦＤＭシンボルインデックス＝１、２、…、１６'では、伝送多重制御（ＴＭＣＣ）ビット‘１ないし１６'を内包している。このとき、伝送多重制御（ＴＭＣＣ）ビット‘１ないし１６'を用いて‘同期信号'を伝送し、その値は、偶数フレーム（８１０）であるときと奇数フレーム（８２０）であるときに異なるので、奇数フレームをハッチングで示した。ただし、その他のデータとしては、フレームとは関係なく同一の伝送多重制御（ＴＭＣＣ）データが伝送される。受信装置１００は、任意の瞬間に伝送多重制御（ＴＭＣＣ）獲得を開始すると（８３０）、ビットバッファー１４０（例えば、２０４バッファーサイズを有する）を充填するようになる。
【００７５】
受信装置１００が伝送多重制御（ＴＭＣＣ）獲得を開始した後、２０４ビットの復調データが入ってくると、ビットバッファー１４０（例えば、２０４バッファーサイズを有する）は、フル（８５０）に充填されるようになり、そのとき、ビットバッファー１４０には、‘８４０'のような順序の復調データが充填される。このときから、受信装置１００は、現在のビットバッファー１４０（例えば、２０４バッファーサイズを有する）に充填された１番目のデータがどのようなＯＦＤＭシンボルインデックスに該当（ＣｎｄＩｄｘ＝｛０、１、…、２０３｝）するかを仮定した後、仮定されたインデックスによってビットバッファー１４０を候補インデックス（ＣｎｄＩｄｘ）だけ既に設定された一方向（例えば、右側）にローテーションするようになる。
【００７６】
実質的には、受信装置１００は、候補インデックス（ＣｎｄＩｄｘ）が増加するにつれて、ビットバッファー１４０（例えば、２０４バッファーサイズを有する）を１回ずつ既に設定された一方向にローテーションするようになる。第１には、候補インデックスを‘０'に設定（ＣｎｄＩｄｘ＝０）して試みるが、当然比較器１６０は失敗（Ｆａｉｌ）するようになる（８６０）。その後、実質的に‘３'に設定された候補インデックス（ＣｎｄＩｄｘ＝３）で確実な位置に復調データ（復調されたビット）が位置（８７０）するようになるので、比較器１６０は‘同期信号'検索に成功するようになる。
【００７７】
‘８７０'についてより詳細に記述すると、比較器１６０は、‘候補インデックス（ＣｎｄＩｄｘ）＝１'又は‘候補インデックス（ＣｎｄＩｄｘ）＞１６'であると、一般的な同期信号検索（すなわち、Ｓ６２０）と同一に偶数又は奇数の‘同期信号'とマッチングされるビットのカウンターがしきい値以上であるかどうかを試験するようになる。ここで、‘２＝候補インデックス（ＣｎｄＩｄｘ）＝１６'であると、候補インデックス（ＣｎｄＩｄｘ）より小さいビット位置にある‘同期信号'において偶数／奇数フレームのビットが変わるようになる。このようにビットインデックス‘１'、‘２'に対しては偶数フレーム、ビットインデックス＝｛３、…、１６｝に対しては奇数フレームの‘同期信号'とマッチングされるかどうかを検査し、また、ビットインデックス１、２に対しては奇数フレーム、ビットインデックス＝｛３、…、１６｝に対しては偶数フレームの‘同期信号'とマッチングされるかどうかを検査し、しきい値と比較（８７０）するようになる。
【００７８】
このとき、受信装置１００は、デコーダー１７０のＤＳＣデコーディングを用いて確認される。したがって、受信装置１００が‘同期信号検索'のしきい値も低下させるようになり、‘同期信号'の位置を正常に探せるにもかかわらず、一般的な‘同期信号検索'が不合格と判定する確率を低下させるようになる。上述した方式で、受信装置１００は、比較器１６０との結合を通してＤＳＣデコーダー１７０の虚偽信号（エラーであるにもかかわらず、成功と過って判断すること）発生確率も低減させるようになる。このように、比較器１６０で成功した伝送多重制御（ＴＭＣＣ）情報（１０２ビット）、パリティビット（８２ビット）をデコーダー１７０に入力するようになり、入力された情報（伝送多重制御（ＴＭＣＣ）情報（１０２ビット）、パリティビット（８２ビット））は成功と処理される。
【００７９】
このような構造を通して、図７と関連して記述した全ての問題は全て軽減又は解消される。第１に、伝送多重制御（ＴＭＣＣ）変調エラーがないとしても、伝送多重制御（ＴＭＣＣ）獲得開始時間と‘同期信号'とが任意の間隔で存在するようになり、最大２フレーム（最小１フレーム）までかかるという問題は１フレームに固定されることで解消される。第２に、伝送多重制御（ＴＭＣＣ）‘同期信号'の開始位置を誤って探して最大２フレームの時間を浪費するという問題は、受信装置１００のデコーダー１７０と比較器１６０が同時に失敗する確率が実質的に‘０'に近くなることで解消される。第３に、伝送多重制御（ＴＭＣＣ）同期信号検索が正常に行われた場合（７４０）であっても、時間的に変化する伝送多重制御（ＴＭＣＣ）復調ＢＥＲによってＤＳＣデコーディングに失敗（Ｆａｉｌ）する場合もある（７４２）。この場合、１フレームを浪費するという問題は、１フレームでない１ＯＦＤＭシンボル（１／２０４フレーム）に減少することで解消される。
【００８０】
第４に、確実な（正常な）位置であるにもかかわらず、伝送多重制御（ＴＭＣＣ）復調エラーによって‘同期信号'の開始位置を探せなかった場合（７５０）である。この場合、１フレームの時間を浪費するようになる。このとき、‘同期信号'のマッチングしきい値を‘１６'より小さい値に設定するとこのような確率を低下させ得るが、これは、前記の第２の問題が表れる確率をより増加させるという問題を発生させ得る。また、受信装置１００は、デコーダー１７０と比較器１６０によってより小さいしきい値の同期信号マッチングしきい値を用いるようになり、その確率が遥かに減少し、同一の問題が発生したとき、固定的に１フレームでないその次のフレームで伝送多重制御（ＴＭＣＣ）復調エラーのない条件では１ないし１６シンボルに減少するようになる。第５に、上述した４つの問題が互いに複合的に作用しながら、伝送多重制御（ＴＭＣＣ）受信時間をより増加させるという問題が解消される。
【００８１】
以上の説明は、本実施例の技術思想を例示的に説明したものに過ぎなく、本実施例の属する技術分野で通常の知識を有する者であれば、本実施例の本質的な特性から逸脱しない範囲で多様な修正及び変形が可能であろう。したがって、本実施例は、本実施例の技術思想を限定するためのものではなく、説明するためのものであって、このような実施例によって本実施例の技術思想の範囲が限定されることはない。本実施例の保護範囲は、下記の特許請求の範囲によって解釈すべきであり、それと同等な範囲内の全ての技術思想は、本実施例の権利範囲に含まれるものと解釈すべきであろう。
【符号の説明】
【００８２】
１００：受信装置、１１０：変換部、１２０：復調部、１３０：復号化部、１４０：ビットバッファー、１５０：候補生成部、１６０：比較器、１７０：デコーダー、２１０：副搬送波インデックス、２２０：時間軸、３１０：同期信号、３２０：伝送多重制御（ＴＭＣＣ）情報、３３０：パリティビット、５００：受信装置、５１０：復号化部、５２０：同期信号検索部、５３０：デコーダー
【図１】
2015037312.tif 000003
【図２】
2015037312.tif 000004
【図３】
2015037312.tif 000005
【図４】
2015037312.tif 000006
【図５】
2015037312.tif 000007
【図６】
2015037312.tif 000008
【図７】
2015037312.tif 000009
【図８】
2015037312.tif 000010